(57)【特許請求の範囲】
【請求項１】
光学ブロックであってその一端に、双方向通信のための互いに異なる波長の光のうちの長波長の発散光を受けかつ短波長の光を出力するための共通端および光源から前記短波長の発散光を受ける入力端が設けられ、かつその他端に、前記長波長の光を受光器に送り出すための出力端が設けられる光学ブロックと、該光学ブロックに設けられ前記共通端からの前記長波長の光の前記受光器へ向けての透過を許しかつ前記入力端からの前記短波長の光を選択的に前記共通端へ向けるべく反射するための波長選択フィルタ、前記入力端からの前記発散光を前記波長選択フィルタを経て前記共通端に案内しかつ集光させるための第１および第２の計算機ホログラムとを備え、該第２の計算機ホログラムは前記共通端からの前記長波長の発散光を前記受光器に集光させることを特徴とする光通信端末用光学装置。
【請求項２】
前記第１の計算機ホログラムは前記短波長の発散光を平行光束に変換しかつ偏向させる機能を有し、前記第２の計算機ホログラムは前記短波長の光に関してその平行光束が前記共通端に向けて偏向しかつ収束すべく最適化され、前記共通端からの前記長波長の発散光が前記第２の計算機ホログラムの前記短波長に関する焦点距離よりも短い焦点距離で集光される請求項１記載の光通信端末用光学装置。
【請求項３】
基地局および家庭を双方向通信可能に接続する光通信システムであって、
前記基地局には光通信端末用光学装置が設けられ、前記家庭には請求項１記載の光通信端末用光学装置が設けられ、両端末用光学装置の前記共通端が光ファイバにより相互に接続されている光通信システムにおいて、
前記基地局の光通信端末用光学装置は、
光学ブロックであってその一端に、双方向通信のための互いに異なる波長の光のうちの短波長の発散光を受けかつ長波長の光を出力するための共通端および光源から前記長波長の発散光を受ける入力端が設けられ、かつその他端に、前記短波長の光を受光器に送り出すための出力端が設けられる光学ブロックと、該光学ブロック内にあって、前記共通端からの前記短波長の光の前記出力端へ向けての透過を許しかつ前記入力端からの前記長波長の光を選択的に前記共通端へ向けるべく反射するための波長選択フィルタと、前記入力端からの前記発散光を前記波長選択フィルタを経て前記共通端に案内しかつ集光させるための第１および第２の計算機ホログラム、および前記共通端からの前記第２の計算機ホログラムを経る前記短波長の光を前記出力端に集光させるための第３の計算機ホログラムとを備えることを特徴とする光通信システム。
【請求項４】
前記第１の計算機ホログラムは前記長波長の発散光を平行光束に変換しかつ偏向させる機能を有し、前記第２の計算機ホログラムは前記長波長の光に関してその平行光束が前記共通端へ向けて偏向しかつ収束すべく最適化され、前記共通端からの前記短波長の発散光は前記第２の計算機ホログラムにより拡散された後、前記第３の計算機ホログラムにより前記受光器上に集光される請求項３記載の光通信システム。
【発明の詳細な説明】
【０００１】
【発明の属する技術分野】
本発明は、波長成分を異にする光信号により双方向通信を可能とする光通信システムおよび該システムに組み込むのに好適な、計算機ホログラム（以下、単にＣＧＨ素子と称する。）を用いた光通信端末用光学装置に関する。
【０００２】
【従来の技術】
近年、通信容量の大きな光通信を可能とするために、光ファイバを各家庭にまで敷設する、いわゆるファイバー・ツー・ザ・ホーム（Fiber to the Home）と称する計画が進められている。
【０００３】
これによれば、例えば１．５５μｍの波長帯域の光が基地局から家庭への一方向通信に使用され、例えば１．３１μｍの波長帯域の光が家庭から基地局への逆方向通信に使用される。このため、基地局および家庭を結ぶ光ファイバ経路には、両波長の光が相互に逆方向に流れることから、基地局および家庭のそれぞれの通信端末には、両波長を分離あるいは合成するための光通信端末用光学装置が必要となる。
【０００４】
このような光通信端末用光学装置は、その小型化のために、マイクロレンズおよび分波器のような、いわゆるマイクロ光学部品を組み合わせて構成されていることから、多数の光学部品を高精度で組み合わせる必要がある。そのために、従来の光通信端末用光学装置によれば、その製造工程が複雑化し、製造コストが増大するという欠点があった。
【０００５】
【発明が解決しようとする課題】
従って、本発明の目的は、製造が容易であり、製造コストの低減を図ることができ、コンパクト化に有利である新規な光通信端末用光学装置およびこの光学装置を用いた光通信システムを提供することにある。
【０００６】
【課題を解決するための手段】
ために、本発明は、基本的には、波長を相互に異にする光を用いる双方向光通信のための端末用光学装置の光学素子として、光回折現象を利用したＣＧＨ素子を用いることを特徴とする。
ＣＧＨ素子は、半導体製造技術であるフォトリソグラフィおよびエッチングを用いて高精度で形成することができ、しかもエッチングに用いるマスクの組み合わせにより、微小なＣＧＨ素子に、光学レンズに見られるようなコリメート機能あるいは集光機能およびプリズムに見られるような偏向機能等の種々の光学特性を付与することができる。
【０００７】
〈構成１〉
本発明に係る光通信端末用光学装置は、光学ブロックを含み、該光学ブロックの一端には、双方向通信のための互いに異なる波長の光のうちの長波長の発散光を受けかつ短波長の光を出力するための共通端および光源から前記短波長の発散光を受ける入力端が設けられる。また前記光学ブロックの他端には、前記長波長の光を受光器に送り出すための出力端が設けられる。前記光学ブロックには、さらに、前記共通端からの前記長波長の光の前記受光器へ向けての透過を許しかつ前記入力端からの前記短波長の光を選択的に前記共通端へ向けるべく反射するための波長選択フィルタと、前記入力端からの前記発散光を前記波長選択フィルタを経て前記共通端に案内しかつ集光させるための第１および第２のＣＧＨ素子（計算機ホログラム）とが設けられ、該第２のＣＧＨ素子は前記共通端からの前記長波長の発散光を前記受光器に集光させる集光機能を有する。
【０００８】
前記第１のＣＧＨ素子に前記短波長の発散光を平行光束に変換しかつ偏向させる機能を付与し、前記第２のＣＧＨ素子は、該素子が前記短波長の光に関してその平行光束を前記共通端に向けて偏向しかつ収束すべく、最適化することができ、これにより前記共通端からの前記長波長の発散光を前記第２のＣＧＨ素子の前記短波長に関する焦点距離よりも短い焦点距離で集光させることができる。
【０００９】
〈構成２〉
本発明に係る光通信システムは、基地局および家庭を双方向通信可能に接続する光通信システムであって前記基地局には長波長の光を出力するための光通信端末用光学装置が設けられ、前記家庭には〈構成１〉の光通信端末用光学装置が設けられ、両端末用光学装置の前記共通端が光ファイバにより相互に接続されている。
基地局の光通信端末用光学装置は、光学ブロックを含み、該光学ブロックの一端には、双方向通信のための互いに異なる波長の光のうちの短波長の発散光を受けかつ長波長の光を出力するための共通端および光源から前記長波長の発散光を受ける入力端が設けられる。また、前記光学ブロックの他端には、前記短波長の光を受光器に送り出すための出力端が設けられる。前記光学ブロックには、さらに、前記共通端からの前記短波長の光の前記出力端へ向けての透過を許しかつ前記入力端からの前記長波長の光を選択的に前記共通端へ向けるべく反射するための波長選択フィルタと、前記入力端からの前記発散光を前記波長選択フィルタを経て前記共通端に案内しかつ集光させるための第１および第２のＣＧＨ素子と、前記共通端からの前記第２のＣＧＨ素子を経る前記短波長の光を前記出力端に集光させるための第３のＣＧＨ素子とが設けられている。
【００１０】
前記第１のＣＧＨ素子に前記長波長の発散光を平行光束に変換しかつ偏向させる機能を付与し、前記第２のＣＧＨ素子は、該素子が前記長波長の光に関してその平行光束を前記共通端へ向けて偏向しかつ収束すべく、最適化することができ、これにより前記共通端からの前記短波長の発散光は前記第２のＣＧＨ素子により拡散された後、前記第３のＣＧＨ素子により前記受光器上に集光させることができる。
【００１２】
前記した各ＣＧＨ素子は、回折現象を利用した光学素子であり、コリメート機能、集光機能、偏向機能等を重複してあるいは選択的に付与することができ、しかも半導体製造技術であるフォトリソグラフィおよびエッチングを用いて高精度でコンパクトに形成することができることから、比較的容易にコンパクトな光通信端末用光学装置を比較して安価に製造することができる。
【００１３】
【発明の実施の形態】
以下、本発明を図示の実施の形態について詳細に説明する。
〈具体例１〉
図１は、本発明に係る光学装置を用いた光通信システムを概略的に示す。本発明に係る光通信システム１０は、図示の例では、信号がセル形式で転送されるＡＴＭ（非同期転送モード）通信システムである。
本発明に光通信システム１０では、例えば、基地局１１と家庭１２との間が光ファイバ１３から成る通信路により、相互に接続されている。基地局１１からは、光源１４ａからの例えば１．５５μｍの波長の信号光が、光ファイバ１３を経て家庭１２に送られる。また、家庭１２からは、光源１５ａからの例えば１．３１μｍの波長の信号光が、光ファイバ１３を経て基地局１１に送られる。
【００１４】
各光源１４ａおよび１５ａは、発光ダイオードあるいは半導体レーザのような発光素子を用いることができ、この発光素子によれば、変調を受けた光信号をセル形式で光ファイバ１３に送出することができる。
この発光素子に限らず、従来よく知られた種々の光信号出力装置を光源１４ａおよび１５ａとして用いることができる。
【００１５】
基地局１１には、家庭１２からの前記信号光すなわち短波長信号光を受信するための例えばフォトダイオードのような受光器１４ｂが設けられている。また、家庭１２には、基地局１１からの前記信号光すなわち長波長信号光を受信するためのフォトダイオードのような受光器１５ｂが設けられている。
【００１６】
さらに、基地局１１および家庭１２の各端末には、光ファイバ１３を経る前記した２種類の波長の光信号を相互に分離しあるいはこれらを合成するための端末用光学装置１６および５６が設けられている。
【００１７】
図２は、基地局１１に設けられる端末用光学装置１６を示す。
前記端末用光学装置１６は、図２に示されているように、例えばガラスのような光学基板を積層して成る光学ブロック１７を備える。
光学ブロック１７は、例えば３ｍｍの厚さ寸法Ｔ１を有する石英ガラス板１８と、例えば５ｍｍの厚さ寸法Ｔ２を有する石英ガラス板１９とが積層されて形成されている。各ガラス板１８および１９の厚さ方向に一致する光学ブロック１７の長手方向中心軸線が符号２０で示されている。
【００１８】
ガラス板１８の一方の面１８ａには、第１のＣＧＨ素子２１および第２のＣＧＨ素子２２が形成されている。第１のＣＧＨ素子２１は、前記ガラス板１８の一方の面１８ａにおける前記中心軸線２０を含む中心面により区画される一半に形成され、第２のＣＧＨ素子２２は、前記一方の面１８ａの他半に形成されている。
【００１９】
ガラス板１８の前記面１８ａにおける前記一半には、端末用光学装置１６の入力端１６ａを規定する支持部２３ａが、第１のＣＧＨ素子２１を覆うように、設けられている。また、前記面１８ａにおける前記他半には、端末用光学装置１６の共通端１６ｂを規定する支持部２３ｂが、第２のＣＧＨ素子２２を覆うように、設けられている。
【００２０】
両支持部２３ａおよび２３ｂは、ガラス板１８および１９と同様な光学基板により形成されている。図示の例では、支持部２３ａは、その端面に配置された光源１４ａから入力端１６ａに入射する長波長発散光を第１のＣＧＨ素子２１に案内すべく例えば０．７５ｍｍの厚さ寸法Ｔ３を有し、支持部２３ｂは、該支持部の端面に接続された光ファイバ１３から共通端１６ｂに入射する短波長発散光を第２のＣＧＨ素子２２に案内すべく例えば１．５ｍｍの厚さ寸法Ｔ４を有する。図示の例では、入力端１６ａおよび共通端１６ｂ間には、例えば３５０μｍの中心間距離Ｄ１が設定されている。
【００２１】
ガラス板１８の他方の面１８ｂには、波長選択フィルタ２４が設けられている。波長選択フィルタ２４は、光源１４ａから第１のＣＧＨ素子２１を経た前記長波長光を第２のＣＧＨ素子２２へ向けて反射しかつ光ファイバ１３から第２のＣＧＨ素子２２を経た前記短波長光を透過させる。波長選択フィルタ２４は、例えば誘電体膜を利用したＷＤＭフィルタで構成することができる。
【００２２】
ガラス板１９の一方の面１９ａ、すなわちガラス板１８の前記他方の面１８ｂに接合される面１９ａには、波長選択フィルタ２４を経た前記短波長光をガラス板１９の他方の面１９ｂ上に、例えば中心軸線２０から距離Ｄ２を隔てて規定される出力端１６ｃに向けるための第３のＣＧＨ素子２５が形成されている。
また、出力端１６ｃには、波長選択フィルタ２４および第３のＣＧＨ素子２５を経る前記短波長光を受けるための受光器１４ｂが、前記距離Ｄ２を隔てて、配置されている。
【００２３】
各ＣＧＨ素子２１、２２および２５は、従来よく知られているようなフォトリソエッチングをガラス板１８および１９の面１８ａおよび１９ａに施すことにより、高精度でコンパクトに形成することができる。
【００２４】
ＣＧＨ素子の製造には、例えば、特開平９−１１５２７２号公報に開示されているようなＣＡＤが用いられる。これによれば、各ＣＧＨ素子毎に、所望の回折光学特性を示すホログラム内での光の位相差関数が求められる。この位相差関数から求められた位相差係数を、例えばアメリカ合衆国カリフォルニア州に在るNIPT社のＣｇｈＣＡＤプログラムに代入することにより、フォトリソグラフィによって所望形状を得るのに必要なフォトリソグラフィ用マスクのパターンを生成させることができる。このマスクパターンに沿ったマスクを製作し、これらのマスクを用いたフォトリソグラフィ法により、光学基板にエッチング処理を施すことにより、所望の回折光学特性を示すＣＧＨ素子すなわち計算機ホログラムが得られる。
【００２５】
第１のＣＧＨ素子２１は、光源１４ａからの１．５５μｍの波長を有する発散光を平行光束に変換するいわゆるコリメート機能と、コリメートされた前記平行光束を波長選択フィルタ２４を経て第２のＣＧＨ素子２２に向けるための偏向機能とを備える回折光学特性が付与されている。図示の例では、１．５５μｍの波長の光は、その光軸に関して３．３４°の偏向角が与えられる。
【００２６】
また、第２のＣＧＨ素子２２は、１．５５μｍの波長のコリメート光を共通端１６ｂに向けるための偏向機能および共通端１６ｂに集光させるための集光機能を有する。
【００２７】
従って、光源１４ａからの１．５５μｍの波長の信号光、すなわち前記長波長信号光は、第１のＣＧＨ素子２１、波長選択フィルタ２４および第２のＣＧＨ素子２２を経て、共通端１６ｂに集光され、該共通端に接続された光ファイバ１３に案内される。
【００２８】
第２のＣＧＨ素子２２には、１．５５μｍの波長の平行光束が共通端１６ｂに集光する光学特性が付与されていることから、光ファイバ１３からの１．３１μｍの波長の発散光が共通端１６ｂから第２のＣＧＨ素子２２に案内されると、この短波長の信号光は、長波長の信号光におけるような平行光束とはならず、わずかに拡散する発散光として波長選択フィルタ２４に向けられ、しかも、図示の例では、１．３１μｍの波長の光は、その光軸に関して２．８２°の偏向角でもって、この波長選択フィルタ２４を透過する。
【００２９】
第３のＣＧＨ素子２５は、この波長選択フィルタ２４を透過する拡散光を出力端１６ｃに集光するための集光機能を有する。
【００３０】
従って、前記端末用光学装置１６によれば、前記したように、光源１４ａからの長波長信号光を好適に光ファイバ１３に案内することができると共に、光ファイバ１３からの短波長信号光を好適に受光器１４ｂに案内することができる。また、これら信号光を集光させる集光機能および偏向させるための偏向機能を有する光学素子がＣＧＨ素子で形成されていることから、コンパクトでありしかも安価に端末用光学装置１６を実現することができる。
【００３１】
前記した第１のＣＧＨ素子２１および第２のＣＧＨ素子２２の組み合わせでは、入力端１６ａからの発散光を両ＣＧＨ素子２１および２２を通して共通端１６ｂに集光させるために、第１のＣＧＨ素子２１にコリメート機能および偏向機能を付与し、第２のＣＧＨ素子２２に平行光束を共通端１６ｂに偏向させる偏向機能および該共通端に集光させる集光機能を付与した例を示したが、これに代えて、いずれか一方のＣＧＨ素子２１または２２に偏向機能のみを付与し、他方のＣＧＨ素子２２または２１に偏向機能および集光機能を付与することにより、入力端１６ａからの発散光を共通端１６ｂに集光させることができる。
また、これらの例に限らず、両ＣＧＨ素子２１および２２の光学機能を適宜組み合わせることにより、入力端１６ａからの発散光を共通端１６ｂに集光させることができる。
【００３２】
さらに、長波長信号光に関する第２のＣＧＨ素子２２の光学特性の前記した偏向に応じて、該ＣＧＨ素子の短波長信号光に関する光学特性にわずかなずれが生じるが、この短波長信号光に関する光学特性のずれは、第３のＣＧＨ素子２５の光学特性に適宜の変更を施すことにより、短波長信号光を出力端１６ｃに集光させることができる。
【００３３】
図３は、家庭側端末１２に設けられる端末用光学装置５６を示す。
端末用光学装置５６は、光学ブロック５７を備える。光学ブロック５７は、図３に示す例では、端末用光学装置１６におけると同様な光学基板５８を有する。
【００３４】
光学基板５８は、例えば３ｍｍの厚さ寸法Ｔ１を有する石英ガラス板５８からなる。光学基板５８の中心軸線に一致する光学ブロック５７の長手方向中心軸線が符号２０で示されている。
【００３５】
ガラス板５８の一方の面５８ａには、第１のＣＧＨ素子５１および第２のＣＧＨ素子５２が形成されている。第１のＣＧＨ素子５１は、第１のＣＧＨ素子２１におけると同様に、前記ガラス板５８の一方の面５８ａの一半に形成され、第２のＣＧＨ素子５２は、前記一方の面５８ａの他半に形成されている。
【００３６】
ガラス板５８の前記面５８ａにおける前記一半には、支持部２３ａにおけると同様な支持部５３ａが、第１のＣＧＨ素子５１を覆うように、設けられている。また、前記面５８ａにおける前記他半には、支持部２３ｂにおけると同様な支持部５３ｂが、第２のＣＧＨ素子５２を覆うように、設けられている。
【００３７】
支持部５３ａは、その端面に配置された光源１５ａから入力端１６ａに入射する１．３１μｍの短波長発散光を第１のＣＧＨ素子５１に案内すべく例えば０．７５ｍｍの厚さ寸法Ｔ３を有する。また、支持部５３ｂは、その端面に接続された光ファイバ１３から共通端１６ｂに入射する１．５５μｍの長波長発散光を第２のＣＧＨ素子５２に案内すべく例えば１．５ｍｍの厚さ寸法Ｔ４を有する。
図示の例では、入力端１６ａおよび共通端１６ｂ間には、端末用光学装置１６におけると同様、例えば３５０μｍの中心間距離Ｄ１が設定されている。
【００３８】
ガラス板５８の他方の面５８ｂには、例えばＷＤＭフィルタからなる波長選択フィルタ５４が設けられている。波長選択フィルタ５４は、光源１５ａから第１のＣＧＨ素子５１を経た前記短波長光を第２のＣＧＨ素子５２へ向けて反射しかつ光ファイバ１３から第２のＣＧＨ素子５２を経た前記長波長光を透過させる。
【００３９】
ガラス板５８の他方の面は、出力端１６ｃとして機能し、この出力端１６ｃを経る前記短波長光を受けるための受光器１４ｂが、光学基板５８の他方の面５８ｂから例えば３．５６ｍｍの距離Ｔ２を隔てかつ前記中心軸線２０から例えば３５６μｍの距離Ｄ２を隔てて、配置されている。
【００４０】
第１のＣＧＨ素子５１は、光源１５ａからの１．３１μｍの波長を有する発散光を平行光束に変換するコリメート機能と、コリメートされた前記平行光束を波長選択フィルタ５４を経て第２のＣＧＨ素子５２に向けるための偏向機能とを備える回折光学特性が付与されている。図示の例では、１．３１μｍの波長の光は、その光軸に関して３．３４°の偏向角が与えられる。
【００４１】
また、第２のＣＧＨ素子５２は、１．３１μｍの波長のコリメート光を共通端１６ｂに向けるための第１のＣＧＨ素子５１におけると同様の例えば３．３４°の偏向角を与える偏向機能と、共通端１６ｂに集光させるための集光機能とを有する。
【００４２】
従って、光源１５ａからの１．３１μｍの波長の信号光、すなわち前記短波長信号光は、第１のＣＧＨ素子５１、波長選択フィルタ５４および第２のＣＧＨ素子５２を経て、共通端１６ｂに集光され、該共通端に接続された光ファイバ１３に案内される。
【００４３】
第２のＣＧＨ素子５２には、１．３１μｍの波長の平行光束が共通端１６ｂに集光する光学特性が付与されていることから、光ファイバ１３からの１．５５μｍの波長の発散光が共通端１６ｂから第２のＣＧＨ素子５２に案内されると、この長波長の信号光は、短波長の信号光とは異なり、平行光束とはならず、収束光として波長選択フィルタ５４に向けられ、しかも、図示の例では、１．３１μｍの波長の光は、その光軸に関して３．９５°の偏向角でもって、この波長選択フィルタ５４を透過する。
【００４４】
第２のＣＧＨ素子５２は、前記したとおり、共通端１６ｂからの発散光を収束させることにより、集光素子として機能する。この共通端１６ｂからの発散光は、第２のＣＧＨ素子５２を透過することにより、光学基板５８と空気との屈折率差に応じた例えば光軸に関して５．７１°の偏向角でもって、前記した距離Ｔ２およびＤ２を隔てた点で集光する。
この集光点には、前記した共通端１６ｂからの発散光を受けるための受光器１５ｂが配置されている。
【００４５】
従って、前記端末用光学装置５６によれば、前記したように、光源１５ａからの短波長信号光を好適に光ファイバ１３に案内することができると共に、光ファイバ１３からの長波長信号光を好適に受光器１５ｂに案内することができる。また、これら信号光を集光させる集光機能および偏向させるための偏向機能を有する光学素子がＣＧＨ素子で形成されていることから、コンパクトでありしかも安価に端末用光学装置５６を実現することができる。
【００４６】
前記各ガラス板１８、１９、５８および支持部２３ａ、２３ｂ、５３ａ、５３ｂは、前記したガラス材料に代えて、光学的な損失が小さな材料であれば、シリコン基板あるいはプラスチック基板のような種々の基板材料で構成することができる。
【００４７】
前記したところでは、基地局１１および家庭１２のための端末用光学装置のいずれも、それぞれにＣＧＨ素子が組み込まれた端末用光学装置１６および５６を用いた光通信システム１０について説明したが、本願発明に係る端末用光学装置１６または５６のいずれか一方を従来の端末用光学装置と組み合わせて光通信システムを構成することができる。
しかしながら、よりコンパクトで安価な光通信システムを構成する上で、基地局および家庭のための両端末用光学装置に、本願発明に係る端末用光学装置１６および５６を用いることが好ましい。
【００４８】
【発明の効果】
本発明によれば、前記したように、回折現象を利用したＣＧＨ素子にコリメート機能、集光機能、偏向機能等の光学特性を重複してあるいは選択的に適宜付与することができ、しかもＣＧＨ素子は半導体製造技術であるフォトリソグラフィおよびエッチングを用いて高精度で形成することができることから、コンパクトであり、しかも安価かつ新規な光通信端末用光学装置を得ることができる。
【００４９】
また、本発明によれば、前記光通信端末用光学装置を組み合わせることにより比較的安価に基地局および家庭間での双方向光通信システムを実現することができる。
【図面の簡単な説明】
【図１】本発明に係る光学装置を適用した光通信システムを概略的に示す説明図である。
【図２】図１に示した基地局側端末に用いられる本発明に係る光学装置を示す断面図である。
【図３】図１に示した家庭側端末に用いられる本発明に係る光学装置を示す断面図である。
【符号の説明】
１０  光通信システム
１１  基地局
１２  家庭
１３  光ファイバ
１４ａ、１５ａ  光源
１４ｂ、１５ｂ  受光器
１６、５６  端末用光学装置
１６ａ  入力端
１６ｂ  共通端
１６ｃ  出力端
１７、５７  光学ブロック
１８、１９、５８  ガラス板
２１、２２、２５、５１、５２  ＣＧＨ素子
２４、５４  波長選択フィルタ
【図１】
0004064608.tif 000002
【図２】
0004064608.tif 000003
【図３】
0004064608.tif 000004